(57)【特許請求の範囲】
【請求項１】
給湯熱源機から給湯個所に至る給湯往き配管と、給湯個所から給湯熱源機に戻る給湯戻り配管とを設け、給湯戻り配管に循環ポンプを設けると共に、その下流側に第１の給水配管を接続し、給湯個所に湯水混合水栓を設けて、その温水側を給湯往き配管に接続すると共に給水側を給湯戻り配管に接続し、給湯往き配管と給湯戻り配管を逆止弁を介して接続すると共に、給湯戻り配管の循環ポンプの上流側には開閉弁を設けた第２の給水配管を接続したことを特徴とする循環式給湯装置
【請求項２】
第２の給水配管は、循環ポンプをバイパスする給湯戻り配管のバイパス配管として構成したことを特徴とする請求項１記載の循環式給湯装置
【請求項３】
第２の給水配管は、給水源から循環ポンプの上流側の給湯戻り配管に接続した給水配管として構成したことを特徴とする請求項１記載の循環式給湯装置
【発明の詳細な説明】
【０００１】
【産業上の利用分野】
本発明は、中〜大規模な給湯システムに適用されることが多い循環式給湯装置に関するものである。
【０００２】
【従来の技術】
中〜大規模な給湯システムでは、給湯熱源機から給湯個所までの距離が長い場合においても、蛇口（湯栓）を開とした後に直ちにお湯が出るようにするために、給湯個所から給湯熱源機に戻る循環用の給湯戻り配管を設けた循環式（複管式）給湯装置が多く使用されている。循環式給湯装置において、給湯個所に湯水混合水栓を使用するものでは、例えば図３に示すように構成される。
即ち、図３に示す循環式給湯装置は、概ね、給湯熱源機１から湯水混合水栓２を設けた給湯個所３に至る給湯往き配管４と、この給湯往き配管４の端から連続して給湯個所３から給湯熱源機１に戻る給湯戻り配管５と、給湯戻り配管５に設けた循環ポンプ６と、給湯戻り配管５に合流する給水配管７と、給湯個所３に至る給水配管８とから構成され、湯水混合水栓２の温水側を給湯往き配管４に接続すると共に冷水側を給水配管８に接続している。尚、符号９は流量センサ、１０は給湯熱源機１、循環ポンプ６等を制御する制御装置である。
【０００３】
このような循環式給湯装置では、給湯負荷時には、給湯熱源機１から予め設定された高温（６０〜８０℃）の温水を給湯往き配管４を通して給湯個所３に供給し、この高温の温水と、給水源から給水配管８を通して供給される冷水を、湯水混合水栓２により混合して必要な温度（一般に４０℃）の出湯を行っている。また給湯個所３からの出湯がない無負荷時には、循環系内の湯温を保温するために、ある一定量の温水を循環させる保温運転を行っている。
【０００４】
【発明が解決しようとする課題】
湯水混合水栓を使用する従来の循環式給湯装置では、上述したとおり、給湯熱源機側から給湯個所まで、給湯往き配管、給湯戻り配管及び給水配管を敷設するする必要があるので、配管スペースや配管施工費用が大きい。
従って本発明は、このような課題を解決することを目的とするものである。
【０００５】
【課題を解決するための手段】
上述した課題を解決するために、本発明では、給湯熱源機から給湯個所に至る給湯往き配管と、給湯個所から給湯熱源機に戻る給湯戻り配管とを設け、給湯戻り配管に循環ポンプを設けると共に、その下流側に第１の給水配管を接続し、給湯個所に湯水混合水栓を設けて、その温水側を給湯往き配管に接続すると共に、給水側を給湯戻り配管に接続し、給湯往き配管と給湯戻り配管を逆止弁を介して接続すると共に、給湯戻り配管の循環ポンプの上流側には開閉弁を設けた第２の給水配管を接続した構成の循環式給湯装置を提案する。
【０００６】
そして本発明では、上記の構成において、第２の給水配管は、循環ポンプをバイパスする給湯戻り配管のバイパス配管として構成すること、又は第２の給水配管は、給水源から循環ポンプの上流側の給湯戻り配管に接続した給水配管として構成することを提案する。
【０００７】
【作用】
給湯個所の湯水混合水栓を開とした状態においては、第１の給水配管から循環ポンプの下流側の給湯戻り配管に冷水が流入し、この冷水を給湯熱源機で昇温し、所定温度の温水として給湯往き配管を通して湯水混合水栓の温水側に供給することができる。
【０００８】
これと同時に、循環ポンプを停止させ、開閉弁を開とすると、第２の給水配管から循環ポンプの上流側の給湯戻り配管にも冷水が流入し、この冷水は給湯戻り配管を通して湯水混合水栓の冷水側に供給することができる。
【０００９】
給湯往き配管と給湯戻り配管とは逆止弁を介して接続されているため、給湯戻り配管を通しての冷水の供給は、給湯往き配管を通しての温水の供給の障害とならない。こうして夫々給湯往き配管、給湯戻り配管を通して湯水混合水栓に供給された温水と冷水を混合して所定温度の温水として出湯させることができる。
【００１０】
給湯個所の湯水混合水栓からの出湯が全くない場合には、循環ポンプを運転すると共に、開閉弁を閉として第２の給水配管を遮断すると、温水は循環ポンプにより駆動され、給湯往き配管側から逆止弁を通して給湯戻り配管側に流れて循環が可能となり、循環による保温運転を行うことができる。
【００１１】
【実施例】
次に本発明の実施例を図について説明する。
図１は本発明を適用した循環式給湯装置の第１の実施例を概略的に表した系統図であり、図３に示す従来の循環式給湯装置と同様な構成要素には同一の符号を付している。符号１は給湯熱源機であり、この給湯熱源機１は、保有水量が多い貯湯式給湯熱源機に対して、供給する温水の温度を短時間に変更し得る瞬間式給湯熱源機により構成している。符号２は給湯個所３に設置した湯水混合水栓であり、この湯水混合水栓２は、例えば温度及び圧力に応動するエレメントを湯水混合バルブに内蔵し、温度調節ハンドルの操作等で設定した温度となるように温水と冷水の混合比率を自動調節するサーモスタット式湯水混合栓とするのが好ましい。
【００１２】
符号４は給湯熱源機１から給湯個所に至る給湯往き配管、符号５は給湯個所２から給湯熱源機１に戻る給湯戻り配管であり、給湯戻り配管５には循環ポンプ６を設けると共に、その下流側に上水道に至る第１の給水配管７を接続しており、この第１の給水配管７には流量センサ９を設けている。また給湯往き配管４と給湯戻り配管５とは給湯個所２側において、逆止弁１１を介して接続して循環経路を構成するようにしている。即ち、逆止弁１１は給湯往き配管４側から給湯戻り配管５側にのみ水が流れるように設置している。そして夫々の湯水混合水栓２の温水側を接続管１２ｈを介して給湯往き配管４に接続すると共に冷水側を接続管１２ｃを介して給湯戻り配管５に接続している。
【００１３】
一方、給湯戻り配管５には、第２の給水配管として、循環ポンプ６をバイパスするようにバイパス配管１４を接続しており、このバイパス配管１３には電磁弁や電動弁等の開閉弁１４を設けている。そして開閉弁１４は、給湯熱源機１や循環ポンプ６を制御する制御装置１０により開閉を制御する構成としている。この他、第１の給水配管７や、給湯戻り配管５の循環ポンプ６の下流側には必要に応じて逆止弁等を設置しているのであるが、図示は省略している。
【００１４】
以上の構成において給湯個所３の湯水混合水栓２を開とすると、その温水側の流量に対応した冷水が第１の給水配管７から給湯戻り配管５に流入し、流量センサ９が流量出力を発する。従って制御装置１０はこの流量出力により給湯負荷の発生を検出し、循環ポンプ６の運転を停止すると共に、開閉弁１４を開とし、また給湯熱源機１を負荷運転に対応するように制御する。
【００１５】
この状態では、第１の給水配管７から給湯戻り配管５に流入した冷水の一部は給湯熱源機１を通って給湯往き配管４側に流れ、他は第２の給水配管１３を通って給湯戻り配管５側に流れる。この際、給湯往き配管４と給湯戻り配管５とは逆止弁１１を介して接続しているため、給湯戻り配管５を通して伝わる水圧は給湯往き配管４方向には加わらない。従って給湯往き配管５内の水圧が給湯熱源機１の熱交換部を経て減圧しても給湯個所２方向への温水の流れに支障はない。こうして給湯往き配管４には所定の温度に昇温された温水が流れると同時に、給湯戻り配管５には第１、第２の給水配管７，１３を経た冷水が流れて給湯個所３の湯水混合水栓に供給され、混合により使用温度に調節されて出湯する。尚、この状態における温水及び冷水の流れは図中２点鎖線の矢印で示している。
【００１６】
以上の状態において湯水混合水栓２を閉とすると流量センサ９の流量出力がなくなるので、制御装置１０は開閉弁１４を閉として第２の給水配管１３を遮断すると共に循環ポンプ６を運転し、また給湯熱源機１を保温運転に対応するように制御する。
【００１７】
この状態では、循環ポンプ６により駆動された温水は給湯戻り配管５から給湯熱源機１を経て給湯往き配管４を流れ、給湯個所３側において逆止弁１１を通って給湯戻り配管５に入り、給湯戻り配管５を流れて循環ポンプ６まで戻って循環を行う。従って循環と共に給湯熱源機１を適宜動作させることにより給湯往き配管４、給湯戻り配管５内の温水を所定温度に維持することができる。尚、この状態における温水及び冷水の流れは図中実線の矢印で示している。
【００１８】
次に図２は本発明を適用した循環式給湯装置の第２の実施例を概略的に表した系統図であり、図１に示す第１の実施例とは、第２の給水配管の具体的構成が異なるだけである。従って図１の実施例と同様な構成要素には同一の符号を付して説明を省略する。
この第２の実施例では、第２の給水配管は、第１の給水配管７と同様に給水源から循環ポンプ６の上流側の給湯戻り配管５に接続した給水配管１５として構成している。
【００１９】
この実施例では、第１の給水配管７を流れる冷水の全ては給湯熱源機１を経て給湯往き配管４に流れるため、流量センサ９の流量出力を用いた給湯熱源機１のフィードフォワード制御が容易である。
【００２０】
【発明の効果】
本発明は以上のとおり、給水個所に湯水混合水栓を使用した循環式給湯装置において、給湯戻り配管と給水配管を兼用することができるので、給湯熱源機から給湯個所までの配管数を減らすことができ、配管スペースや配管施工費用を低減することができるという効果がある。
【図面の簡単な説明】
【図１】本発明を適用する循環式給湯装置の第１の実施例の構成を概略的に表した系統図である。
【図２】本発明を適用する循環式給湯装置の第２の実施例の構成を概略的に表した系統図である。
【図３】循環式給湯装置の従来例の構成を概略的に表した系統図である。
【符号の説明】
１                給湯熱源機
２                湯水混合水栓
３                給湯個所
４                給湯往き配管
５                給湯戻り配管
６                循環ポンプ
７                第１の給水配管
８                給水配管
９                流量センサ
１０              制御装置
１１              逆止弁
１２ｈ，１２ｃ    接続管
１３              バイパス配管（第２の給水配管）
１４              開閉弁
１５              給水配管（第２の給水配管）
【図１】
0003578283.tif 000002
【図２】
0003578283.tif 000003
【図３】
0003578283.tif 000004